【手続補正書】
【提出日】平成27年1月23日(2015.1.23)
【手続補正１】
【補正対象書類名】明細書
【補正対象項目名】００１２
【補正方法】変更
【補正の内容】
【００１２】
本発明は、石炭を可溶化するために石炭及び石炭鉱床を処理し、好ましい実施形態で、石炭を処理して、石炭がメタン或いはその他の有用な製品に向けて、細菌及び真菌による変換の影響をより受けやすくするための方法を提供することにより上記の問題を解決する。係る可溶化は、鉱床自体（現場可溶化と呼ぶ）或いは鉱床から分離後の石炭自体（現場外可溶化と呼ぶ）のいずれかで行われてきた。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  国際公開第２００９／１４８５６９号
（特許文献２）  米国特許第７，５５６，０９４号
（特許文献３）  米国特許出願公開第２００９／０１９３７１２号
（特許文献４）  米国特許出願公開第２００６／０２２３１５４号
（特許文献５）  米国特許第３，９７３，６２８号
（特許文献６）  米国特許出願公開第２０１２／０２６４６７１号
（特許文献７）  国際公開第１０／１０５１６９号
（特許文献８）  米国特許第８，１０５，４８９号
（特許文献９）  米国特許出願公開第２０１２／００４３０８４号
（特許文献１０）  米国特許第４，０３３，８５２号
（特許文献１１）  米国特許第７，５５６，０９４号
（特許文献１２）  米国特許第３，９９０，５１３号
（特許文献１３）  国際公開第８７／０６２５４号
（特許文献１４）  国際公開第０５／１１３７８４号
（特許文献１５）  国際公開第０５／１１５６４８号
（特許文献１６）  国際公開第０６／１１１１２４号
（特許文献１７）  国際公開第０６／１１８５７０号
（特許文献１８）  国際公開第０７／０２２１２２号
（特許文献１９）  国際公開第０９／０７５９４１号
（特許文献２０）  国際公開第０９／１４８５６９号
（特許文献２１）  国際公開第１０／００２４６０号
（特許文献２２）  国際公開第１０／０１６９５７号
（特許文献２３）  国際公開第１０／０２７４５５号
（特許文献２４）  国際公開第１０／０３６７５６号
（特許文献２５）  国際公開第１１／０７１５３３号
（特許文献２６）  国際公開第１１／０７５１６３号
（特許文献２７）  国際公開第１１／１３３２１８号
（特許文献２８）  国際公開第１１／１４２８０９号
（特許文献２９）  欧州特許出願第１７８８０８０号
（特許文献３０）  米国特許第１，６０６，０１５号
（特許文献３１）  米国特許第２，９９２，０９３号
（特許文献３２）  米国特許第３，０７６，２９１号
（特許文献３３）  米国特許第３，１１１，４０４号
（特許文献３４）  米国特許第３，２６４，０６４号
（特許文献３５）  米国特許第３，３５２，９０２号
（特許文献３６）  米国特許第３，３９８，１８６号
（特許文献３７）  米国特許第３，４１８，１００号
（特許文献３８）  米国特許第３，５４４，２９５号
（特許文献３９）  米国特許第３，５７４，６４９号
（特許文献４０）  米国特許第３，６０７，２１１号
（特許文献４１）  米国特許第３，６７４，６４９号
（特許文献４２）  米国特許第３，７１１，３９２号
（特許文献４３）  米国特許第３，７４４，５６６号
（特許文献４４）  米国特許第３，７７０，４１１号
（特許文献４５）  米国特許第３，９８１，８０３号
（特許文献４６）  米国特許第３，９９０，５１３号
（特許文献４７）  米国特許第４，００７，７８９号
（特許文献４８）  米国特許第４，０２１，３２９号
（特許文献４９）  米国特許第４，２０６，２８８号
（特許文献５０）  米国特許第４，２５７，８６９号
（特許文献５１）  米国特許第４，２５９，０８４号
（特許文献５２）  米国特許第４，２７４，７６０号
（特許文献５３）  米国特許第４，２９８，４５０号
（特許文献５４）  米国特許第４，２９８，６２１号
（特許文献５５）  米国特許第４，３１９，０４１号
（特許文献５６）  米国特許第４，３２１，０７６号
（特許文献５７）  米国特許第４，３３１，４４７号
（特許文献５８）  米国特許第４，３６６，０７３号
（特許文献５９）  米国特許第４，３９４，１３６号
（特許文献６０）  米国特許第４，３９７，９５３号
（特許文献６１）  米国特許第４，４００，１９５号
（特許文献６２）  米国特許第４，４３６，８１８号
（特許文献６３）  米国特許第４，４５１，３５１号
（特許文献６４）  米国特許第４，５０１，４４５号
（特許文献６５）  米国特許第４，５４１，９１４号
（特許文献６６）  米国特許第４，６１３，４３４号
（特許文献６７）  米国特許第４，６３２，６９２号
（特許文献６８）  米国特許第４，６４７，５３７号
（特許文献６９）  米国特許第４，６５４，３０８号
（特許文献７０）  米国特許第４，６５９，６７０号
（特許文献７１）  米国特許第４，６７５，２９４号
（特許文献７２）  米国特許第４，７２８，４１８号
（特許文献７３）  米国特許第４，７３１，１７９号
（特許文献７４）  米国特許第４，７３５，７０６号
（特許文献７５）  米国特許第４，７７５，６２７号
（特許文献７６）  米国特許第４，７８７，４５６号
（特許文献７７）  米国特許第４，７９８，８０１号
（特許文献７８）  米国特許第４，８４５，０３４号
（特許文献７９）  米国特許第４，８４６，９６３号
（特許文献８０）  米国特許第４，８６１，５１９号
（特許文献８１）  米国特許第４，８８２，２７４号
（特許文献８２）  米国特許第４，８９１，１３１号
（特許文献８３）  米国特許第４，９１４，０２４号
（特許文献８４）  米国特許第４，９４８，５０９号
（特許文献８５）  米国特許第４，９８５，０６０号
（特許文献８６）  米国特許第４，９９７，２０２号
（特許文献８７）  米国特許第５，００９，３４０号
（特許文献８８）  米国特許第５，０１４，７８５号
（特許文献８９）  米国特許第５，０２６，４１６号
（特許文献９０）  米国特許第５，０３４，０４５号
（特許文献９１）  米国特許第５，０９１，３１５号
（特許文献９２）  米国特許第５，１２０，４３０号
（特許文献９３）  米国特許第５，１８０，４９４号
（特許文献９４）  米国特許第５，１８２，１９９号
（特許文献９５）  米国特許第５，２０７，９１１号
（特許文献９６）  米国特許第５，２８２，８７９号
（特許文献９７）  米国特許第５，２９４，３４９号
（特許文献９８）  米国特許第５，２９８，１６３号
（特許文献９９）  米国特許第５，３２７，９６４号
（特許文献１００）  米国特許第５，３６３，９１３号
（特許文献１０１）  米国特許第５，３８９，２５８号
（特許文献１０２）  米国特許第５，４２４，１９５号
（特許文献１０３）  米国特許第５，４４７，２０８号
（特許文献１０４）  米国特許第５，４４７，８５０号
（特許文献１０５）  米国特許第５，４８６，２１４号
（特許文献１０６）  米国特許第５，４９０，６３４号
（特許文献１０７）  米国特許第５，５０５，８３９号
（特許文献１０８）  米国特許第５，５２３，２３４号
（特許文献１０９）  米国特許第５，５６０，７３７号
（特許文献１１０）  米国特許第５，５６６，７５６号
（特許文献１１１）  米国特許第５，６０５，１９８号
（特許文献１１２）  米国特許第５，６５３，３００号
（特許文献１１３）  米国特許第５，６６９，４４４号
（特許文献１１４）  米国特許第５，６７０，３４５号
（特許文献１１５）  米国特許第５，７７３，５２６号
（特許文献１１６）  米国特許第５，７８７，０２２号
（特許文献１１７）  米国特許第５，７９２，３５５号
（特許文献１１８）  米国特許第５，８５４，０３２号
（特許文献１１９）  米国特許第５，９５０，７４７号
（特許文献１２０）  米国特許第５，９６４，２９０号
（特許文献１２１）  米国特許第５，９６７，２３３号
（特許文献１２２）  米国特許第５，９６７，２５０号
（特許文献１２３）  米国特許第６，０２１，８５９号
（特許文献１２４）  米国特許第６，０４３，３９２号
（特許文献１２５）  米国特許第６，１４３，５３４号
（特許文献１２６）  米国特許第６，１４５，６０８号
（特許文献１２７）  米国特許第６，１８０，３９６号
（特許文献１２８）  米国特許第６，２６２，３１３号
（特許文献１２９）  米国特許第６，３３８，３９０号
（特許文献１３０）  米国特許第６，３４２，３７８号
（特許文献１３１）  米国特許第６，３６８，８４９号
（特許文献１３２）  米国特許第６，４２３，５３２号
（特許文献１３３）  米国特許第６，４４０，３０７号
（特許文献１３４）  米国特許第６，５４３，５３５号
（特許文献１３５）  米国特許第６，５５５，３５０号
（特許文献１３６）  米国特許第６，６７９，３２６号
（特許文献１３７）  米国特許第６，７７３，５９６号
（特許文献１３８）  米国特許第６，８１４，１４１号
（特許文献１３９）  米国特許第６，８１４，９９２号
（特許文献１４０）  米国特許第６，８１７，４１１号
（特許文献１４１）  米国特許第６，８５２，２２６号
（特許文献１４２）  米国特許第６，９０５，６０１号
（特許文献１４３）  米国特許第７，０１５，０２８号
（特許文献１４４）  米国特許第７，０４５，０６３号
（特許文献１４５）  米国特許第７，１２４，８１７号
（特許文献１４６）  米国特許第７，２２５，０８５号
（特許文献１４７）  米国特許第７，３１６，９２１号
（特許文献１４８）  米国特許第７，４１９，８７９号
（特許文献１４９）  米国特許第７，４２６，９６０号
（特許文献１５０）  米国特許第７，５５６，０９４号
（特許文献１５１）  米国特許第７，５５６，７３７号
（特許文献１５２）  米国特許第７，６４０，９７８号
（特許文献１５３）  米国特許第７，６８１，６３９号
（特許文献１５４）  米国特許第７，６９６，１３２号
（特許文献１５５）  米国特許第７，８３２，４７５号
（特許文献１５６）  米国特許出願公開第２００１／００４５２７９号
（特許文献１５７）  米国特許出願公開第２００４／００３３５５７号
（特許文献１５８）  米国特許出願公開第２００４／０２０３１３４号
（特許文献１５９）  米国特許出願公開第２００６／０１３１０７４号
（特許文献１６０）  米国特許出願公開第２００６／０２２３１５３号
（特許文献１６１）  米国特許出願公開第２００６／０２２３１５４号
（特許文献１６２）  米国特許出願公開第２００６／０２２３１５９号
（特許文献１６３）  米国特許出願公開第２００６／０２２３１６０号
（特許文献１６４）  米国特許出願公開第２００６／０２５４７６５号
（特許文献１６５）  米国特許出願公開第２００７／００７８６６５号
（特許文献１６６）  米国特許出願公開第２００７／０１５８２６４号
（特許文献１６７）  米国特許出願公開第２００７／０１６１０７７号
（特許文献１６８）  米国特許出願公開第２００７／０１９１３０３号
（特許文献１６９）  米国特許出願公開第２００７／０２５１１４６号
（特許文献１７０）  米国特許出願公開第２００７／０２６１８４３号
（特許文献１７１）  米国特許出願公開第２００７／０２９５５０５号
（特許文献１７２）  米国特許出願公開第２００９／００２３６１２号
（特許文献１７３）  米国特許出願公開第２００９／０１９３７１２号
（特許文献１７４）  米国特許出願公開第２００９／０２４６８４９号
（特許文献１７５）  米国特許出願公開第２０１０／００００７３２号
（特許文献１７６）  米国特許出願公開第２０１０／００３２１５７号
（特許文献１７７）  米国特許出願公開第２０１０／００３５３０９号
（特許文献１７８）  米国特許出願公開第２０１０／００６８７７２号
（特許文献１７９）  米国特許出願公開第２０１０／００８１１８４号
（特許文献１８０）  米国特許出願公開第２０１０／０１３９９１３号
（特許文献１８１）  米国特許第７，８４５，４０３号
（特許文献１８２）  米国特許第７，８７１，７９２号
（特許文献１８３）  米国特許第７，９７５，７６２号
（特許文献１８４）  米国特許第７，９７７，２８２号
（特許文献１８５）  米国特許第８，０５１，９０８号
（特許文献１８６）  米国特許第８，０９２，５５９号
（特許文献１８７）  米国特許第８，０６７，２２３号
（特許文献１８８）  米国特許出願公開第２００７００４８８４８号
（特許文献１８９）  米国特許出願公開第２００２００１７６２９号
（特許文献１９０）  米国特許出願公開第２００５０１１８１３０号
（特許文献１９１）  米国特許出願公開第２００８００５１５９９号
（特許文献１９２）  米国特許出願公開第２００７０２４４２２７号
（特許文献１９３）  米国特許出願公開第２００４０１１０６４５号
（特許文献１９４）  米国特許出願公開第２００７０２４３２３５号
（特許文献１９５）  米国特許出願公開第２０１１００２７８４９号
（特許文献１９６）  米国特許出願公開第２００４／０２００６１８号明細書
（特許文献１９７）  米国特許出願公開第２００５／００６１００１号明細書
（特許文献１９８）  米国特許出願公開第２００５／００８２０５８号明細書
（特許文献１９９）  米国特許出願公開第２００７／０２４８５３１号明細書
（特許文献２００）  米国特許第３，６４０，８４６号明細書
（特許文献２０１）  米国特許第３，８２６，３０８号明細書
（特許文献２０２）  米国特許第４，１５１，０６８号明細書
（特許文献２０３）  米国特許第４，３５８，５３７号明細書
（特許文献２０４）  米国特許第４，８２６，７６９号明細書
（特許文献２０５）  米国特許第４，８８３，７５３号明細書
（特許文献２０６）  米国特許第５，３４０，３７６号明細書
（特許文献２０７）  米国特許第５，３５０，６８４号明細書
（特許文献２０８）  米国特許第５，４９４，１０８号明細書
（特許文献２０９）  米国特許第５，９１９，６９６号明細書
（特許文献２１０）  米国特許第６，０９０，５９３号明細書
（特許文献２１１）  米国特許第６，２１０，９５５号明細書
（特許文献２１２）  米国特許第６，５７１，８７４号明細書
（特許文献２１３）  米国特許第８，１２７，８３９号明細書
（特許文献２１４）  国際公開第９４／２５７３０号
（特許文献２１５）  国際公開第０４／００３５０６号
（特許文献２１６）  国際公開第７９／００２０１号
（特許文献２１７）  国際公開第０１／６８９０４号
（特許文献２１８）  米国特許第８，７５９，０４７号明細書
（特許文献２１９）  米国特許第８，７１６，５３７号明細書
（特許文献２２０）  米国特許第８，７１５，９８０号明細書
（特許文献２２１）  米国特許第８，６３７，２９９号明細書
（特許文献２２２）  米国特許第８，４９１，７８４号明細書
（特許文献２２３）  米国特許第８，４４４，７２５号明細書
（特許文献２２４）  米国特許第８，３９９，７２９号明細書
（特許文献２２５）  米国特許第８，２１２，０８７号明細書
（特許文献２２６）  米国特許第８，０２６，０８６号明細書
（特許文献２２７）  米国特許第７，９０９，８９５号明細書
（特許文献２２８）  米国特許第７，２６２，３３１号明細書
（特許文献２２９）  米国特許第７，１２５，８１７号明細書
（特許文献２３０）  米国特許第７，１２２，４９３号明細書
（特許文献２３１）  米国特許第６，７５２，２１０号明細書
（特許文献２３２）  米国特許第６，５８８，５０３号明細書
（特許文献２３３）  米国特許第６，１５６，９４６号明細書
（特許文献２３４）  米国特許第５，５９７，７１４号明細書
（特許文献２３５）  米国特許第５，１７９，０２１号明細書
（特許文献２３６）  米国特許第５，０４７，０７０号明細書
（特許文献２３７）  米国特許第４，５５６，４３０号明細書
（特許文献２３８）  米国特許第４，４２５，２１９号明細書
（特許文献２３９）  米国特許第４，２６１，４２０号明細書
（特許文献２４０）  米国特許第４，１２０，６６５号明細書
（特許文献２４１）  米国特許第４，１１０，１９３号明細書
（特許文献２４２）  米国特許第４，０１０，０９８号明細書
（特許文献２４３）  米国特許第３，９６５，９８５号明細書
（特許文献２４４）  米国特許第３，９８２，９９８号明細書
（特許文献２４５）  米国特許出願公開第２０１４／０２３５８３８号明細書
（特許文献２４６）  米国特許出願公開第２０１４／０２２７７５１号明細書
（特許文献２４７）  米国特許出願公開第２０１４／０２００３１８号明細書
（特許文献２４８）  米国特許出願公開第２０１４／０１９９７４０号明細書
（特許文献２４９）  米国特許出願公開第２０１３／０１４９７６７号明細書
（特許文献２５０）  米国特許出願公開第２０１３／００５６３９３号明細書
（特許文献２５１）  米国特許出願公開第２０１２／０２４０４５２号明細書
（特許文献２５２）  米国特許出願公開第２０１２/０００３７０５号明細書
（特許文献２５３）  米国特許出願公開第２０１１／０３１４７２６号明細書
（特許文献２５４）  米国特許出願公開第２０１１／００８７０００号明細書
（特許文献２５５）  米国特許出願公開第２０１１／０２６２９８７号明細書
（特許文献２５６）  米国特許出願公開第２０１０／０２７９３６１号明細書
（特許文献２５７）  米国特許出願公開第２０１０／０３３０６３３号明細書
（特許文献２５８）  米国特許出願公開第２００９／００１７５１３号明細書
（特許文献２５９）  米国特許出願公開第２００８／０２７４０２２号明細書
（特許文献２６０）  米国特許出願公開第２００４／００３８３５４号明細書
（特許文献２６１）  カナダ特許第２７８４０６１号明細書
（特許文献２６２）  欧州特許出願公開第２５１３３２０号明細書
（特許文献２６３）  特表２０１３−５１４０８８号公報
（特許文献２６４）  ニュージーランド特許第６００５８０号明細書
（特許文献２６５）  シンガポール特許出願公開第１８１６４４号明細書
（特許文献２６７）  米国特許第４，５３９，０９４号明細書
（特許文献２６８）  米国特許第４，４２８，８２０号明細書
（特許文献２６９）  米国特許出願公開第２０１２／００４３０８４号明細書
（非特許文献）
（非特許文献１）  欧州特許出願第１０８３８０１８号調査報告
（非特許文献２）  Ｓｔｒａｐｏｃ，  Ｄａｒｉｕｓｚ；  ｅｔ  ａｌ  "Ｍｅｔｈａｎｅ−Ｐｒｏｄｕｃｉｎｇ  Ｍｉｃｒｏｂｉａｌ  Ｃｏｍｍｕｎｉｔｙ  ｉｎ  ａ  Ｃｏａｌ  Ｂｅｄ  ｏｆ  ｔｈｅ  Ｉｌｌｉｎｏｉｓ  Ｂａｓｉｎ"  Ａｐｐｌｉｅｄ  ａｎｄ  Ｅｎｖｉｒｏｎｍｅｎｔａｌ  Ｍｉｃｒｏｂｉｏｌｏｇｙ，  ７４，  ２４２４−２４３２，  ２００８
（非特許文献３）  Ｆｕｋｕｄａ  ｅｔ  ａＩ．，  Ｊ．  Ｂｉｏｓｃｉ．  Ｂｉｏｅｎｇ．，  Ｖｏ．  ９２，  ｐｐ．  ４０５−４１６  （２００１）
（非特許文献４）  Ｐａｎ  ｅｔ  ａＩ．，  ＪＡＯＣＳ，  Ｖｏｌ．  ７８，  ｐｐ．  ５５３−５５４  （２００１）
Ａｈｍｅｄ，  ｅｔ  ａｌ．，  Ａｄｖａｎｃｅｄ  Ｒｅｓｅｒｖｏｉｒ  Ｅｎｇｉｎｅｅｒｉｎｇ，  Ｇｕｌｆ  Ｐｒｏｆｅｓｓｉｏｎａｌ  Ｐｕｂｌｉｓｈｉｎｇ  （ＥＬＳＥＶＩＥＲ），  ｐａｇｅ  ３／２２６  （２００４）．
（非特許文献５）  Ａｍｉｎｉａｎ，  Ｋ．，  Ｃｏａｌｂｅｄ  Ｍｅｔｈａｎｅ  −  Ｆｕｎｄａｍｅｎｔａｌ  Ｃｏｎｃｅｐｔｓ，  Ｐｅｔｒｏｌｅｕｍ  ＆  Ｎａｔｕｒａｌ  Ｇａｓ  Ｅｎｇｉｎｅｅｒｉｎｇ  Ｄｅｐａｒｔｍｅｎｔ，  Ｗｅｓｔ  Ｖｉｒｇｉｎｉａ  Ｕｎｉｖｅｒｓｉｔｙ
（非特許文献６）  Ｂａｒｉｋ，  ｅｔ  ａｌ．，  Ｂｉｏｌｏｇｉｃａｌ  Ｐｒｏｄｕｃｔｉｏｎ  ｏｆ  Ｅｔｈａｎｏｌ  ｆｒｏｍ  Ｃｏａｌ  Ｓｙｎｔｈｅｓｉｓ  Ｇａｓ，  Ｕｎｉｖｅｒｓｉｔｙ  ｏｆ  Ａｒｋａｎｓａｓ，  Ｆ  ａｙｅｔｖｉｌｌｅ  Ａｒｋａｎｓａｓ  ｐａｇｅｓ  １３１−  １５４．
（非特許文献７）  Ｂｕｍｐｕｓ，  Ｊ．，  Ｒｅｇｕｌａｔｉｏｎ  ｏｆ  Ｃｏａｌ  Ｐｏｌｙｍｅｒ  Ｄｅｇｒａｄａｔｉｏｎ  ｂｙ  Ｆｕｎｇｉ  （ＤＥ−ＦＧ２２−９４ＰＣ９４２０９），  Ｎｏｖｅｍｂｅｒ  ３０，１９９８．
（非特許文献８）  Ｃａｔｃｈｅｓｉｄｅ，  ｅｔ  ａｌ．，  Ｂｉｏｌｏｇｉｃａｌ  ｐｒｏｃｅｓｓｉｎｇ  ｏｆ  ｃｏａｌ，  Ａｐｐｌ  Ｍｉｃｒｏｂｉｏｌ  Ｂｉｏｔｅｃｈｎｏｌ  （１９９９）  ５３：  １６−２４，  Ｓｐｒｉｎｇｅｒ−Ｖｅｒｌａｇ．
（非特許文献９）  Ｃｈｉｓｔｉ，  Ｂｉｏｔｅｃｈｎｏｌｏｇｙ  Ａｄｖａｎｃｅｓ，  Ｖｏｌ．  ２５，  ｐｐ．  ２９４−３０６  （２００７）
（非特許文献１０）  Ｄｅｍａｉｎ，  ｅｔ  ａ！．，  Ｃｅｌｌｕｌａｓｅ，  Ｃｌｏｓｔｒｉｄｉａ，  ａｎｄ  Ｅｔｈａｎｏｌ，  Ｍｉｃｒｏｂｉｏｌｏｇｙ  ａｎｄ  Ｍｏｌｅｃｕｌａｒ  Ｂｉｏｌｏｇｙ  Ｒｅｖｉｅｗｓ  Ｍａｒ．  ２００５ｐ．１２４−１５４．
（非特許文献１１）  Ｇｒａｙ，  Ｉ．，  Ｒｅｓｅｒｖｏｉｒ  Ｅｎｇｉｎｅｅｒｉｎｇ  ｉｎ  Ｃｏａｌ  Ｓｅａｍｓ：  Ｐａｒｔ  １  −  Ｔｈｅ  Ｐｈｙｓｉｃａｌ  Ｐｒｏｃｅｓｓ  ｏｆ  Ｇａｓ  Ｓｔｏｒａｇｅ  ａｎｄ  Ｍｏｖｅｍｅｎｔ  ｉｎ  Ｃｏａｌ  Ｓｅａｍｓ，  Ｓｏｃｉｅｔｙ  ｏｆ  Ｐｅｔｒｏｌｅｕｍ  Ｅｎｇｉｎｅｅｒｓ  １９８６．
（非特許文献１２）  Ｇｒｅｅｎ  ｅｔ  ａＩ．，  Ｉｎｔｅｒｎａｔｉｏｎａｌ  Ｊ．  Ｃｏａｌ  Ｇｅｏｌｏｇｙ，  Ｖｏｌ．  ７６，  ｐｐ．  ３４−４５  （２００８）
（非特許文献１３）  Ｈａｒｇｒｅａｖｅｓ，  Ｓ．，  Ｅｘｘｏｎ  ｐｒｏｆｉｔ  ｓｏａｒｓ，  ｂｕｔ  ｍｉｓｓｅｓ  ｆｏｒｅｃａｓｔｓ，  ＣＮＮＭｏｎｅｙ．ｃｏｍ，  Ｍａｙ  １，  ２００８．
（非特許文献１４）  Ｉｓｂｉｓｔｅｒ  ｅｔ  ａｌ．，  Ｃｈａｐｔｅｒ  ７，  Ｂｉｏｇａｓｉｆｉｃａｔｉｏｎ  ｏｆ  Ｌｏｗ  Ｒａｎｋ  Ｃｏａｌ，  Ｍｉｃｒｏｂｉａｌ  Ｔｒａｎｓｆｏｒｍａｔｉｏｎｓ  ｏｆ  Ｌｏｗ  Ｒａｎｋ  Ｃｏａｌｓ  ｐａｇｅｓ，  １３９−１５６，  １９９３  ｂｙ  ＣＲＣ  Ｐｒｅｓｓ，  Ｉｎｃ．
（非特許文献１５）  Ｊａｉｎ，  ｅｔ  ａｌ．，  Ａｎａｅｒｏｂｉｃ  ｂｉｏｐｒｏｃｅｓｓｉｎｇ  ｏｆ  Ｗｙｏｄａｋ  （ＵＳＡ）  ｃｏａｌ，  ＦＵＥＬ，  Ｖｏｌ．  ７０，  ｐｐ．  ５７３−５７６  （１９９１）．
（非特許文献１６）  Ｋａｌｓｃｈｅｕｅｒ，  ｅｔ  ａｌ．，  Ｍｉｃｒｏｄｉｅｓｅｌ：  Ｅｓｃｈｅｒｉｃｈｉａ  ｃｏｌｉ  ｅｎｇｉｎｅｅｒｅｄ  ｆｏｒ  ｆｕｅｌ  ｐｒｏｄｕｃｔｉｏｎ，  Ｍｉｃｒｏｂｉｏｌｏｇｙ  （２００６）  １５２，  ｐ，２５２９  −  ２５３６，
（非特許文献１７）  Ｋｉｍ  ｅｔ  ａｌ．，  Ｃｏｍｐｏｓｉｔｉｏｎ  ｏｆ  ｃｏｒｎ  ｄｒｙ−ｇｒｉｎｄ  ｅｔｈａｎｏｌ  ｂｙ−ｐｒｏｄｕｃｔｓ：  ＤＤＧＳ，  ｗｅｔ  ｃａｋｅ，  ａｎｄ  ｔｈｉｎ  ｓｔｉｌｌａｇｅ，  Ｂｉｏｒｅｓｏｕｒｃｅ  Ｔｅｃｈｎｏｌｏｇｙ  ９９  （２００８）  ５１６５  −  ５１７６，
（非特許文献１８）  Ｋｌａｓｓｏｎ，  ｅｔ  ａｌ．，  Ｄｉｒｅｃｔ  Ｂａｃｔｅｒｉａｌ  Ｃｏｎｖｅｒｓｉｏｎ  ｏｆ  Ｃｏａｌ  ｔｏ  Ｌｉｑｕｉｄ  Ｆｕｅｌｓ，  Ｍｉｃｒｏｂｉａｌ  Ｔｒａｎｓｆｏｒｍａｔｉｏｎｓ  ｏｆ  Ｌｏｗ  Ｒａｎｋ  Ｃｏａｌ，  ｉｎ  Ｃｒａｗｆｏｒｄ，  Ｄ．Ｌ  （Ｅｄ，）  Ｍｉｃｒｏｂｉａｌ  Ｔｒａｎｓｆｏｒｍａｔｉｏｎｓ  ｏｆ  Ｌｏｗ  Ｒａｎｋ  Ｃｏａｌｓ，  ＣＲＣ  Ｐｒｅｓｓ，  Ｂｏｃａ  Ｒａｔｏｎ，  Ｃｈａｐｔｅｒ  ５，  ｐ，  ９３  −１１０  （１９９３）．
（非特許文献１９）  Ｌａｒｓｅｎ，  ｅｔ  ａｌ．，  Ｓｏｌｖｅｎｔ  Ｅｘｔｒａｃｔｉｏｎ  ｏｆ  Ｃｏａｌｓ  ｄｕｒｉｎｇ  Ａｎａｌｙｔｉｃａｌ  Ｓｏｌｖｅｎｔ  Ｓｗｅｌｌｉｎｇ，  Ａ  Ｐｏｔｅｎｔｉａｌ  Ｓｏｕｒｃｅ  ｏｆ  Ｅｒｒｏｒ，  Ｅｎｅｒｇｙ  ＆  Ｆｕｅｌｓ  １９９１，  ５，  ５７−５９，  １９９１  Ａｍｅｒｉｃａｎ  Ｃｈｅｍｉｃａｌ  Ｓｏｃｉｅｔｙ，
（非特許文献２０）  Ｓｃｏｔｔ，  Ａ，  Ｉｍｐｒｏｖｉｎｇ  Ｃｏａｌ  Ｇａｓ  Ｒｅｃｏｖｅｒｙ  ｗｉｔｈ  Ｍｉｃｒｏｂｉａｌｌｙ  Ｅｎｈａｎｃｅｄ  Ｃｏａｌｂｅｄ  Ｍｅｔｈａｎｅ，  Ｃｏａｌｂｅｄ  Ｍｅｔｈａｎｅ：  Ｓｃｉｅｎｔｉｆｉｃ  Ｅｎｖｉｒｏｎｍｅｎｔａｌ  ａｎｄ  Ｅｃｏｎｏｍｉｃ  Ｅｖａｌｕａｔｉｏｎ，  Ｍａｓｔａｌｅｔｚｅ，  Ｍ．，  Ｇｌｉｋｓｏｎ，  Ｍ．，  ａｎｄ  Ｇｏｌｄｉｎｇ，  Ｓ，  Ｅｄｉｔｏｒｓ  １９９９．
（非特許文献２１）  Ｓｃｏｔｔ，  Ａ，  Ｌｉｍｉｔａｔｉｏｎｓ  ａｎｄ  Ｂｅｎｅｆｉｔｓ  ｏｆ  Ｍｉｃｒｏｂｉａｌｌｙ  Ｅｎｈａｎｃｅｄ  Ｃｏａｌｂｅｄ  Ｍｅｔｈａｎｅ，  ＩＮＴＥＲＧＡＳ  '９５，  Ｍａｙ  １５−１９，  １９９５，  ｔｈｅ  Ｕｎｉｖｅｒｓｉｔｙ  ｏｆ  Ａｌａｂａｍａ，  Ｔｕｓｃａｌｏｏｓａ，  Ａｌａｂａｍａ  ｐ．４２３  −  ４３１．
（非特許文献２２）  Ｓｈａｗ  ｅｔ  ａｌ．，  Ｔｈｅ  Ｒｏｌｅ  ｏｆ  Ｉｎｉｔｉａｌ  Ｒｅａｃｔｉｏｎ  Ｃｏｎｄｉｔｉｏｎｓ  ｉｎ  Ｄｉｒｅｃｔ  Ｃｏａｌ  Ｌｉｑｕｅｆａｃｔｉｏｎ，  Ｉｎｄ，  Ｅｎｇ．  Ｃｈｅｍ，  Ｒｅｓ，１９８９，２８，１７９５−１８０１，
（非特許文献２３）  Ｓｈｕｉ，  ｅｔ  ａｌ．，  Ｅｆｆｅｃｔ  ｏｆ  ｈｙｄｒｏｔｈｅｒｍａｌ  ｔｒｅａｔｍｅｎｔ  ｏｎ  ｔｈｅ  ｅｘｔｒａｃｔｉｏｎ  ｏｆ  ｃｏａｌ  ｉｎ  ｔｈｅ  ＣＳ２／ＮＭＰ  ｍｉｘｅｄ  ｓｏｌｖｅｎｔ，  Ｆｕｅｌ  ８５  （２００６）ｐ，１７９８−１８０２，
（非特許文献２４）  Ｓｏｍｅｒｔｏｎ  ｅｔ  ａｌ．，  Ｅｆｆｅｃｔ  ｏｆ  Ｓｔｒｅｓｓ  ｏｎ  Ｐｅｒｍｅａｂｉｌｉｔｙ  ｏｆ  Ｃｏａｌ，  Ｉｎｔ．  Ｊ，  Ｒｏｃｋ  Ｍｅｃｈ，  Ｍｉｎ，  Ｓｃｉ  ＆  Ｇｅｏｍｅｃｈ  Ｖｏｌ．  １２，  ｐｐ．  １２９−１４５  （１９７５）
（非特許文献２５）  Ｓｐｏｌａｏｒｅ  ｅｔ  ａｌ．，  Ｊ．  Ｂｉｏｓｃｉｅｎｃｅ  ＆  Ｂｉｏｅｎｇｉｎｅｅｒｉｎｇ，  Ｖｏｌ．  １０１，  ｐｐ，  ８７−９６  （２００６）
（非特許文献２６）  Ｔｏｅｒｉｅｎ，  ｅｔ  ａｌ．，  Ａｎａｅｒｏｂｉｃ  Ｄｉｇｅｓｔｉｏｎ，  １．  Ｔｈｅ  Ｍｉｃｒｏｂｉｏｌｏｇｙ  ｏｆ  Ａｎａｅｒｏｂｉｃ  Ｄｉｇｅｓｔｉｏｎ，  Ｗａｔｅｒ  Ｒｅｓｅａｒｃｈ，  Ｖｏｌ．  ３，  ｐｐ，  ３８５−４１６，  Ｐｅｒｇａｍｏｎ  Ｐｒｅｓｓ  （１９６９）．
（非特許文献２７）  Ｗａｌｓｈ，  Ｊ．Ｂ．，  Ｅｆｆｅｃｔ  ｏｆ  ｐｏｒｅ  ｐｒｅｓｓｕｒｅ  ａｎｄ  ｃｏｎｆｉｎｉｎｇ  ｐｒｅｓｓｕｒｅ  ｏｎ  ｆｒａｃｔｕｒｅ  ｐｅｒｍｅａｂｉｌｉｔｙ，  Ｉｎｔｅｒｎａｔｉｏｎａｌ  Ｊｏｕｒｎａｌ  ｏｆ  Ｒｏｃｋ  Ｍｅｃｈａｎｉｃｓ  ａｎｄ  Ｍｉｎｉｎｇ  Ｓｃｉｅｎｃｅｓ  ＆  Ｇｅｏｍｅｃｈａｎｉｃｓ  Ａｂｓｔｒａｃｔｓ  Ｖｏｌｕｍｅ  １８，  Ｉｓｓｕｅ  ５，  Ｏｃｔｏｂｅｒ  １９８１，  ｐｐ．  ４２９−４３５．
（非特許文献２８）  Ｙｏｓｈｉｉ  ｅｔ  ａｌ．，  Ｕｎｕｓｕａｌ  ｅｆｆｅｃｔｓ  ｏｆ  ｃａｔｅｃｈｏｌ  ｕｐｏｎ  ｔｈｅ  ｈｙｄｒｏｌｉｑｕｅｆａｃｔｉｏｎ  ｏｆ  ｃｏａｌ，  Ｌｅｔｔｅｒｓ  ｔｏ  ｔｈｅ  Ｅｄｉｔｏｒ，  ＦＵＥＬ  １９８２  Ｖｏｌ  ６１  ，  Ｓｅｐｔｅｍｂｅｒ  １９８２，  ｐｐ．  ８６５  −  ８６６．
（非特許文献２９）  Ｚｈａｎｇ  ｅｔ  ａｌ．，  Ｔｏｗａｒｄ  ａｎ  Ａｇｇｒｅｇａｔｅｄ  Ｕｎｄｅｒｓｔａｎｄｉｎｇ  ｏｆ  Ｅｎｚｙｍａｔｉｃ  Ｈｙｄｒｏｌｙｓｉｓ  ｏｆ  Ｃｅｌｌｕｌｏｓｅ：  Ｎｏｎｃｏｍｐｌｅｘｅｄ  Ｃｅｌｌｕｌａｓｅ  Ｓｙｓｔｅｍｓ，  Ｂｉｏｔｅｃｈｎｏｌｏｇｙ  ａｎｄ  Ｂｉｏｅｎｇｉｎｅｅｒｉｎｇ，  Ｖｏｌ．  ８８，  Ｎｏ．７，  Ｄｅｃｅｍｂｅｒ  ３０，  ２００４．
（非特許文献３０）  Ｚｈｕ，  ｅｔ  ａｌ．，  Ｄｉｓｓｏｌｕｔｉｏｎ  ｏｆ  ｃｅｌｌｕｌｏｓｅ  ｗｉｔｈ  ｉｏｎｉｃ  ｌｉｑｕｉｄｓ  ａｎｄ  ｉｔｓ  ａｐｐｌｉｃａｔｉｏｎ：  ａ  ｍｉｎｉ−ｒｅｖｉｅｗ，  Ｇｒｅｅｎ  Ｃｈｅｍｉｓｔｒｙ，  ２００６，  Ｖｏｌ．  ８，  ｐｐ．  ３２５−３２７．
（非特許文献３１）  Ｃｏａｌ  ｂｅｄ  Ｍｅｔｈａｎｅ，  Ｗｉｋｉｐｅｄｉａ  ｐ．１−６
（非特許文献３２）  Ｄａｒｃｙ，  Ｗｉｋｉｐｅｄｉａ  ｐ．１−２
（非特許文献３３）  Ｍｅｔｈａｎｏｇｅｎｅｓｉｓ，  Ｗｉｋｉｐｅｄｉａ  ｐ．１−３
（非特許文献３４）  Ｐｈｏｓｐｈｏｒｕｓ  Ａｃｉｄ，  Ｗｉｋｉｐｅｄｉａ  ｐ．１−４
（非特許文献３５）  国際出願第ＰＣＴ／ＵＳ１０／０３１３１号調査報告
（非特許文献３６）  国際出願第ＰＣＴ／ＵＳ１０／０３１３３号調査報告
（非特許文献３７）  国際出願第ＰＣＴ／ＵＳ１１／００７１２号調査報告
（非特許文献３８）  国際出願第ＰＣＴ／ＵＳ２０１１／００８１９号調査報告
（非特許文献３９）  国際出願第ＰＣＴ／ＵＳ０９／０３３４１号調査報告
（非特許文献４０）  国際出願第ＰＣＴ／ＵＳ０９／０３９１７号調査報告
（非特許文献４１）  国際出願第ＰＣＴ／ＵＳ０９／０４５７２号調査報告
（非特許文献４２）  国際出願第ＰＣＴ／ＵＳ０９／０４９４５号調査報告
（非特許文献４３）  "Ｔｈｅ  Ａｓｉａｎ  Ｂｉｏｍａｓｓ  Ｈａｎｄｂｏｏｋ，  Ａ  ｇｕｉｄｅ  ｆｏｒ  ｂｉｏｍａｓｓ  ｐｒｏｄｕｃｔｉｏｎ  ａｎｄ  ｕｔｉｌｉｚａｔｉｏｎ,"  Ｔｈｅ  Ｊａｐａｎ  Ｉｎｓｔｉｔｕｔｅ  ｏｆ  Ｅｎｅｒｇｙ，  Ｔｏｋｙｏ，  ａｖａｉｌａｂｌｅ  ａｔ  ｈｔｔｐ://ｗｗｗ．ｊｉｅ．ｏｒ．ｊｐ/ｂｉｏｍａｓｓ/ＡｓｉａＢｉｏｍａｓｓＨａｎｄｂｏｏｋ／Ｅｎｇｌｉｓｈ／Ａｌｌ  Ｅ−０８０９１７．ｐｄｆ